(57)【要約】      （修正有）【課題】細胞組織・血管等に物理的刺激を一切持たせず、観察視野と光学機器の間隔を離して観察可能にすると共に、試料の映像をモニターＴＶか、必要に応じて光学機器より観察できるようにする。【解決手段】試料１２の表面に透明のゲル状溶液１１をたらし観察したい視野を設定する。対物レンズ１６の回りから光１４を照射し、鮮明な画像１３・Ａをズーム式顕微鏡１８で捕らえる。その画像は、光学的に拡大された画像１３・Ｂに変換され、さらにＣＣＤカメラ２５で電気信号に変換し、ＣＣＤカメラケーブ２７，コントロールインターフェース基盤２９を通してパーソナルコンピュータ３０に取り込み、その画像モニターＴＶ３２に再現する。画像をパーソナルコンピュータ３０に取り込むことにより画像のデジタル化が可能となり、画像計測・画像処理ソフトウエアー３１で画像の数値化が簡易となり、いろいろな方向からの観察・検査が行うことができる構成とする。【選択図】      図１
2004198391.tif 000002
【特許請求の範囲】
【請求項１】
透明（色彩があっても良い）のゲル状溶液を観察したい観察試料にたらすことにより、細胞内の状態（血管・血流・細胞組織）を観察できる観察法。
【請求項２】
上記方法により観察試料に対して非接触で観察できる観察法。
【請求項３】
上記方法により観察試料に対して外部からの刺激がなく、自然な状態で観察できる観察法。
【発明の詳細な説明】
【０００１】
【発明の属する技能分野】
本発明は色々な生物の血管・血流・細胞組織を観察するため観察法に関する。
【０００２】
【従来の技術】
従来の生物の血管・血流・細胞組織を観察は、物理的に細胞組織を体内から採取したり、血管・血流を観察するために皮膚をはがしたり傷つけたりして光学機器などを用いて観察していた。
【０００３】
【発明が解決するための手段】
しかしながら、従来の方法だと観察試料（生物の血管・血流・細胞組織表面）の外部からの刺激により形而変化をおこし、自然のままの観察ができなかったり観察試料表面上での反射で、内部の細胞や血管・血流の観察ができなかったり、さらに観察試料の内側に光が入りにくいため高輝度の光が必要とされ、またその光の熱により観察視野が刺激を受け、自然の状態でうまく観察できなかった。
【０００４】
【課題を解決するための手段】
本発明は、観察したい観察試料（血管・血流・細部組織）に対して観察する光学機器（観察試料と対物レンズの距離が取れるもの。例えば実体顕微鏡・生物顕微鏡等）を設定し、表面に焦点を合わせ、光を対物レンズの外側からもしくは、対物レンズの内側から観察したい観察試料（血管・血流・細部組織）に照射し、観察試料（血管・血流・細部組織）の表面に透明（色彩があっても良い）のゲル状溶液をたらすことにより、今まで解決できなかった表面の反射がキャンセルされ、さらにこの透明（色彩があっても良い）のゲル状溶液により、少ない光量でも細胞の内側に光を導き、さらには透明（色彩があっても良い）のゲル状溶液によってレンズ効果をもたらし、はっきりとした高解像の画像が浮かび上がって見えてくる。また観察したい観察試料（血管・血流・細部組織等）に対して光学機器の対物レンズを離して観察（非接触観察）できるため、操作があつかいやすく観察試料に対する物理的な刺激もなく、自然の状態での観察が可能となり、正確な形而変化を観察できるようになった今までにない新しい観察方法により上記課題を解決する。
【０００５】
【実施例】
以下、本発明に係る血管・血流・細胞組織の観察法の実施例につき、図１を参照して詳細に説明する。
【０００６】
図１は、本発明の一実施例を適用した光学機器（ズーム式顕微鏡）での血管・血流・細胞組織の観察法の概要を模式的に示す構成説明図である。
【０００７】
即ち、図１に示す実施例装置の構成において、本血管・血流・細胞組織の観察法は、観察試料（人の指の爪と皮膚との境界線に近い部分１２）の表面に透明（色彩があっても良い）のゲル状溶液（例えば、砂糖を溶かしたもの）１１をたらし観察したい視野を設定する。その場所に光源２３と光ファイバー１５で対物レンズ１６の回りから光１４を照射する。その時ゲル状溶液（例えば、砂糖を溶かしたもの）１１の効果により表面の反射がキャンセルされ、さらにこのゲル状溶液１１が光１４を細胞の内側に光を導き、さらにはレンズ効果をもたらして鮮明な画像１３・Ａを、ズーム式顕微鏡１８で捕らえる。ズーム式顕微鏡１８で捕らえた鮮明な画像１３・Ａは、対物レンズ１６およびズームレンズ１９で光学的に拡大画像１３・Ｂに変換される。その拡大画像１３・ＢをＣＣＤカメラ２５でとらえて電気的カラー映像信号１３・Ｃに変換し、接続しているＣＣＤカメラケーブル２７とＣＣＤカメラコントロールインターフェイス基盤２９を通してパーソナルコンピュータ３０に電気的カラー映像信号１３−Ｃを取り込み、パーソナルコンピュータ３０からその電気的カラー映像信号１３・Ｃを表示するモニターＴＶ３２に再現する構成である。
【０００８】
ここで、前記透明のゲル状溶液１１は着色があっても良いが、なるべく色のついていない且つ気泡の少ないもの（例えば、砂糖を溶かしたもの等）が好ましい。
【０００９】
ここで、前記光源２３は、ＡＣ電源をＤＣに変えるスイッチング電源２１とランプ（例えばハロゲンランプ）２４と熱線をカットする熱線カットフィルター２２、さらにランプ２４から出力された光１４を透明のゲル状溶液１１まで導き、照射する光ファイバー１５から構成されている。
【００１０】
ここで、前記ズーム式顕微鏡１８は、光源２３からの光１４を透明のゲル状溶液１１まで導く光ファイバー１５と、その鮮明な画像１３・Ａを拡大してとらえる対物レンズ１６、さらにその画像を自在に拡大・縮小可能なズームレンズ１９、その拡大画像１３・ＢをＣＣＤカメラ２５まで導く鏡筒２０で構成されている。
【００１１】
ここで、前記光学的に拡大された拡大画像１３・Ｂを、ＣＣＤカメラ２５の内部にあるＣＣＤ素子（Ｃｈａｒｇｅ  Ｃｏｕｐｌｅｄ  Ｄｅｖｉｃｅ）２６で電気的カラー映像信号１３・Ｃに変換し、その電気的カラー映像信号１３・ＣはＣＣＤカメラケーブル２７と接続しているＣＣＤカメラコントロールインターフェイス基盤２９を通して、パーソナルコンピュータ３０に電気的カラー映像信号１３・Ｃとして取り込む。
【００１２】
ここで、前記電気的カラー映像信号１３・Ｃをパーソナルコンピュータ３０に取り込み、モニターＴＶ３２に再現する構成である。さらに色々な画像計測・画像処理ソフトウエアー３１で例えば（細胞の形而変化の数値化）・（血流の流速計測）・（血管の形而変化の数値化）など電気的カラー映像信号１３・Ｃを数値化し色々な評価や検査・診断として表現可能となる。
【００１３】
従って、本実施例装置の具体的構成では、先に述べた従来例の場合と比較して次のようなそれぞれの効果が得られる。即ち
（Ａ）今までの観察法とは異なり物理的な刺激を与えず、自然のままの状態で観察可能になった。
（Ｂ）観察したい場所にゲル状溶液（例えば、砂糖を溶かしたもの）をたらすだけで「表面上の反射防止効果」・「少ない光量でも細胞の内側に光を導きより観察試料が観察しやすくなる」・「レンズ効果をもたらしてはっきりとした高解像の画像をとらえられる」など効果をもたらして簡単に観察可能になった。
（Ｃ）この方法の発明により画像をとらえる対物レンズとサンプルとの間隔に距離をもたせられることにより簡易な観察と簡易にサンプルに対する化学的刺激（例えば、薬投与の効果の確認）などが可能になった。
（Ｄ）さらにこの拡大画像をＣＣＤカメラでとらえて電気的カラー映像信号に変換しパーソナルコンピュータに取り込むことにより画像のデジタル化・画像の数値化が可能となり、いろいろな方向からの観察・診断・検査が可能になった。
等である。
【００１４】
なお、前記実施例構成においては、血管・血流・細胞組織の観察法とそのとらえた観察画像の拡大されたカラー映像を観察する場合について述べたが、まず第一に必ずしも観察に使用されるゲル状溶液は、透明な砂糖水に限定されるものではなく多少着色があっても良いが、なるべく透明な気泡のないゲル溶液が好ましい。また必ずしもこのようにカラー化・デジタル化による映像観察行う点に限定されるものではなく、必要に応じては、裸眼での観察・顕微鏡による接眼での観察・モノクロによる映像観察・アナログカメラによる映像観察などをなすことも可能である。
【００１５】
【発明の効果】
以上、実施例よって詳述したように、本発明によれば、観察試料の表面に透明（色彩があっても良い）のゲル状溶液をたらし観察したい視野を設定する。その場所にレンズ回りから光を照射する。  その時ゲル状溶液により表面の反射がキャンセルされ、さらに光を細胞の内側に導き、さらには画像にレンズ効果をもたらし鮮明な画像が観察可能となる。
さらに拡大して観察するためにズーム式顕微鏡で捕らえた鮮明な画像は、光学的に拡大画像に変換される。その拡大画像をＣＣＤカメラで電気的カラー映像信号に変換してＣＣＤカメラケーブルと接続しているＣＣＤカメラコントロールインターフェイス基盤を通してパーソナルコンピュータに取り込み、その電気的カラー映像信号を表示するモニターＴＶ上に再現する今までない優れた効果のある観察法である。
【００１６】
また前記電気的カラー映像信号をパーソナルコンピュータに取り込むことにより画像のデジタル化が可能となり、さらには画像計測・画像処理ソフトウエアーで画像の数値化が簡易となり、いろいろな方向からの観察・診断・検査が行うことができるなどの利点や今後の飛躍が可能となる。
【図面の簡単な説明】
１１    透明（色彩があっても良い）のゲル状溶液
１２    人の指
１３・Ａ  鮮明な画像
１３・Ｂ  拡大画像
１３・Ｃ  電気的カラー映像信号
１４    光
１５    光ファイバー
１６    対物レンズ
１７    対物レンズ交換リング
１８    ズーム式顕微鏡
１９    ズーム機構部
２０    鏡筒
２１    スイッチング電源（ＡＣ電源からＤＣ電源へ変換）
２２    熱線カットフィルター
２３    光源
２４    ランプ（ハロゲンランプ）
２５    ＣＣＤカメラ（デジタル方式）
２６    ＣＣＤ素子（Ｃｈａｒｇｅ  Ｃｏｕｐｌｅｄ  Ｄｅｖｉｃｅ）
２７    ＣＣＤカメラケーブル
２８    ＣＣＤカメラケーブルコネクター
２９    ＣＣＤカメラコントローユニット
３０    パーソナルコンピュータ
３１    画像計測・画像処理ソフトウエアー
３２    ＴＶモニター
【図１】
2004198391.tif 000003
【手続補正書】
【提出日】平成15年3月3日(2003.3.3)
【手続補正１】
【補正対象書類名】明細書
【補正対象項目名】図面の簡単な説明
【補正方法】変更
【補正の内容】
【図面の簡単な説明】
【図１】本発明の一実施例を適用した光学機器（ズーム式顕微鏡）での血管・血流・細胞組織の観察法の概要を模式的に示す構成説明図（観察構成図及び観察試料拡大図）である。
【符号の説明】
１１  透明（色彩があっても良い）のゲル状溶液
１２  人の指
１３−Ａ  鮮明な画像
１３−Ｂ  拡大画像
１３−Ｃ  電気的カラー映像信号
１４  光
１５  光ファイバー
１６  対物レンズ
１７  対物レンズ交換リング
１８  ズーム式顕微鏡
１９  ズーム機構部
２０  鏡筒
２１  スイッチング電源（ＡＣ電源からＤＣ電源へ変換）
２２  熱線カットフィルター
２３  光源
２４  ランプ（ハロゲンランプ）
２５  ＣＣＤカメラ（デジタル方式）
２６  ＣＣＤ素子（Ｃｈａｒｇｅ  Ｃｏｕｐｌｅｄ  Ｄｅｖｉｃｅ）
２７  ＣＣＤカメラケーブル
２８  ＣＣＤカメラケーブルコネクター
２９  ＣＣＤカメラコントローユニット
３０  パーソナルコンピュータ
３１  画像計測・画像処理ソフトウエアー
３２  ＴＶモニター